(57)【要約】【課題】画像投射装置において、複数の光源のうち点灯させる光源を適切に選択する。【解決手段】画像投射装置１００は、複数の光源３ａ，３ｂのうち点灯した少なくとも１つの光源からの光を用いて形成した画像を、ズーム可能な投射光学系５を介して被投射面Ｓに投射する。該画像投射装置は、該装置から被投射面までの投射距離を測定する投射距離測定手段９と、投射光学系のズーム状態を検出するズーム状態検出手段８と、投射距離測定手段により測定された投射距離と、ズーム状態検出手段により検出されたズーム状態と、被投射面での要求照度と、複数の光源の点灯時間、点灯回数および発光量のうちいずれかに関する履歴情報とから、複数の光源のうち点灯させる少なくとも１つの光源を選択する光源選択手段６とを有する。【選択図】図１
2011180507.tif 000002
【特許請求の範囲】
【請求項１】
複数の光源のうち点灯した少なくとも１つの光源からの光を用いて形成した画像を、ズーム可能な投射光学系を介して被投射面に投射する画像投射装置であって、
該装置から前記被投射面までの投射距離を測定する投射距離測定手段と、
前記投射光学系のズーム状態を検出するズーム状態検出手段と、
前記投射距離測定手段により測定された投射距離と、前記ズーム状態検出手段により検出されたズーム状態と、前記被投射面での要求照度と、前記複数の光源の点灯時間、点灯回数および発光量のうちいずれかに関する履歴情報から、前記複数の光源のうち点灯させる前記少なくとも１つの光源を選択する光源選択手段とを有することを特徴とする画像投射装置。
【請求項２】
前記投射光学系として、複数の種類の投射光学系の交換使用が可能であり、
前記光源選択手段は、
前記投射距離、前記ズーム状態、前記要求照度、前記履歴情報および該装置に使用される前記投射光学系の光学情報から、前記少なくとも１つの光源を選択することを特徴とする請求項１に記載の画像投射装置。
【請求項３】
前記複数の光源は、発光量が互いに異なることを特徴とする請求項１又は２に記載の画像投射装置。
【発明の詳細な説明】
【技術分野】
【０００１】
本発明は、液晶プロジェクタ等の画像投射装置に関し、特に複数の光源を選択的に点灯させることができる画像投射装置（以下、プロジェクタという）に関する。
【背景技術】
【０００２】
プロジェクタでは、ユーザが様々な投射距離を選択したり投射レンズのズーム倍率を任意に変更したりすることができ、これによりスクリーン等の被投射面において画像が投射される領域（以下、投射領域という）の大きさを自由に選択することができる。プロジェクタにおける光源ランプの光量が一定である場合、投射領域が小さいほど投射画像は明るくなり、逆に投射領域が大きいほど投射画像は暗くなる。
【０００３】
特許文献１には、投射領域の大きさに応じて光源の発光量を変更するプロジェクタが開示されている。
【０００４】
また、プロジェクタには、複数の光源を有するものもある。複数の光源のうち必要な光源のみを点灯させることによって、該装置の消費電力を抑えることができる。また、点灯させる光源を被投射面での要求照度（必要投射光量）に対して適切に選択することにより、発光量が大きすぎる光源を選択することがなくなる。
【先行技術文献】
【特許文献】
【０００５】
【特許文献１】特平開０６−０１１６８７号公報
【発明の概要】
【発明が解決しようとする課題】
【０００６】
しかしながら、特許文献１には、複数の光源を有するプロジェクタについては説明されていない。つまり、複数の光源のうち少なくとも１つを選択的に点灯させるプロジェクタにおいて、投射領域の大きさに応じてどのように点灯させる光源を選択するのかは説明されていない。
【０００７】
また、プロジェクタの光源として使用されることが多い水銀ランプ等の放電ランプでは、点灯時間や点灯回数の増加に伴って発光量が低下していく特性を示すことが多い。このため、点灯させる光源は、投射領域の大きさだけでなく、光源の発光量も考慮する必要がある。
【０００８】
本発明は、投射領域の大きさやそこで求められる明るさ、さらには光源の履歴情報に応じて、複数の光源のうち点灯させる光源を適切に選択できるようにした画像投射装置を提供する。
【課題を解決するための手段】
【０００９】
本発明の一側面としての画像投射装置は、複数の光源のうち点灯した少なくとも１つの光源からの光を用いて形成した画像を、ズーム可能な投射光学系を介して被投射面に投射する。該画像投射装置は、該装置から被投射面までの投射距離を測定する投射距離測定手段と、投射光学系のズーム状態を検出するズーム状態検出手段と、投射距離測定手段により測定された投射距離と、ズーム状態検出手段により検出されたズーム状態と、被投射面での要求照度と、複数の光源の点灯時間、点灯回数および発光量のうちいずれかに関する履歴情報とから、複数の光源のうち点灯させる少なくとも１つの光源を選択する光源選択手段とを有することを特徴とする。
【発明の効果】
【００１０】
本発明によれば、投射領域の大きさやそこで求められる明るさ、さらには光源の履歴情報に応じて、複数の光源のうち点灯させる光源を適切に選択し、良好な明るさの画像を投射しつつ、無駄な電力消費を抑えることができる。
【図面の簡単な説明】
【００１１】
【図１】本発明の実施例１であるプロジェクタの構成を示すブロック図。
【図２】実施例１における各光源の光量と累積点灯時間との関係を示すグラフ。
【図３】実施例１のプロジェクタにおける光源点灯処理を示すフローチャート。
【図４】本発明の実施例２であるプロジェクタの構成を示すブロック図。
【図５】本発明の実施例３であるプロジェクタの構成を示すブロック図。
【図６】実施例１のプロジェクタにおける光源点灯処理を示すフローチャート。
【発明を実施するための形態】
【００１２】
以下、本発明の実施例について図面を参照しながら説明する。
【実施例１】
【００１３】
図１には、本発明の実施例１である画像投射装置（以下、プロジェクタという）１００の構成を示している。
【００１４】
電源回路１には、ＡＣケーブルを介してＡＣ電圧が入力される。電源回路１は、ＡＣ電圧をＤＣ電圧に変換して、ＣＰＵ等の制御系や光源の電源として供給する。２ａ，２ｂは光源電源回路（バラスト回路）であり、それぞれ第１の光源ランプ３ａと第２の光源ランプ３ｂに、これらを点灯させるため電源を供給する。
【００１５】
第１および第２の光源ランプ３ａ，３ｂは、水銀ランプやハロゲンランプ等の放電発光管により構成されている。本実施例では、２つの光源ランプが搭載されている場合について説明するが、３つ以上の複数の光源（ランプでなくてもよい）が搭載されていてもよい。また、第１および第２の光源ランプ３ａ，３ｂは、使用初期（最初の点灯時）において互いに異なる発光量で点灯するランプであってもよいし、同じ発光量で点灯するランプであってもよい。
【００１６】
光学ユニット４は、第１および第２の光源ランプ３ａ，３ｂのうち点灯した光源ランプからの光を、ＲＧＢの３色の光に色分解しつつ、液晶パネルやデジタルマイクロミラーデバイス等の３つの光変調素子に導く照明／色分解光学系を含む。また、光学ユニット４は、プロジェクタ１００に入力された画像情報に応じて３つの光変調素子により変調された３色の光を色合成する色合成光学系を含む。
【００１７】
５はズーム可能な投射レンズ（投射光学系）である。投射レンズ５は、光学ユニット４にて色合成された光により形成される画像を、そのズーム倍率に応じて、被投射面であるスクリーンＳに拡大投射する。投射レンズ５には、該投射レンズ５のズーム状態（ズーム倍率又はズーム位置を意味し、以下の説明ではズーム位置という）を検出するズーム状態検出手段としてのエンコーダ８が設けられている。エンコーダ８は、ズーム位置に応じたズーム位置検出信号５１を出力する。
【００１８】
６は光源選択手段として機能するＣＰＵである。ＣＰＵ６は、第１および第２の光源ランプ３ａ，３ｂのうち点灯させる少なくとも１つの光源ランプを選択し、該選択した光源ランプに接続された光源電源回路（２ａ，２ｂ）に点灯制御信号５０を出力する。点灯制御信号５０を受けた光源電源回路は、接続された光源ランプに電源を供給してこれを点灯させる。また、ＣＰＵ６は、制御手段として、プロジェクタ１００における様々な動作の制御を行う。
【００１９】
ＣＰＵ６には、不揮発性メモリ７が接続されている。不揮発性メモリ７は、各光源ランプの点灯回数または点灯時間に関する履歴情報を記憶している。点灯回数に関する履歴情報とは、例えば、その光源ランプが点灯した合計回数（累積点灯回数）を示す情報である。点灯時間に関する履歴情報とは、例えば、その光源ランプが点灯した合計時間（累積点灯時間）を示す情報である。
【００２０】
９は投射距離測定手段としての測距センサ９であり、プロジェクタ（例えば、投射レンズ５）１００からスクリーンＳまでの投射距離を測定して、該測定した投射距離に応じた投射距離検出信号５２をＣＰＵ６に出力する。投射距離の測定方法は、スクリーンＳに超音波や赤外光を照射してその反射波や反射光を利用する方法や、スクリーンＳ上に投射された測距用画像を位相差レンズを通して撮像して得られた２像の位相差を用いて測定する方法等、どのような方法を用いてもよい。
【００２１】
ＣＰＵ６は、ズーム位置検出信号５１により得られるズーム位置と、投射距離検出信号５２により得られる投射距離と、スクリーンＳでの要求照度（必要投射光量）と、上記履歴情報とから、点灯させる少なくとも１つの光源ランプを選択する。
【００２２】
次に、プロジェクタ１００（ＣＰＵ６）における点灯させる光源ランプの選択方法について、図２を用いて説明する。図２には、第１および第２の光源ランプ３ａ，３ｂの発光量と累積点灯時間との関係を示している。各光源ランプの発光量は、累積点灯時間の増加に伴って低下する。なお、図２には累積点灯時間の増加に対して直線的に発光量が低下しているように記載されているが、実際の発光量の低下は曲線的（例えば、当初は低下率が高く、徐々に低下率が下がる）となることが多い。
【００２３】
また、図２には、スクリーンＳ上での投射領域を大きい順に投射領域１〜３として示し、該投射領域１〜３に対応する光源ランプの発光量を必要光量１〜３として示している。必要光量１〜３は、スクリーンＳ上に投射領域１〜３の大きさを有する画像を所定の同じ明るさ（照度）で投射する場合に光源ランプに求められる発光量である。ここにいう「所定の同じ明るさ」を、スクリーンＳでの要求照度といい、ユーザの選択により、又はプロジェクタ１００の周囲の明るさ等の情報に基づいてＣＰＵ６により自動的に設定される。
【００２４】
点灯した光源ランプの発光量が投射レンズ５のズーム位置によって変わらず一定であるとすれば、スクリーンＳでの照度は投射領域の面積に反比例する。例えば、投射領域の面積が２倍になると、スクリーンＳでの照度は２分の１となる。
【００２５】
最も広い投射領域１に要求照度以上の照度で画像を投射するためには、光源ランプとして必要光量１以上の発光量での点灯が可能なものを選択する必要がある。図２において、使用初期の発光量がＡである第１の光源ランプ３ａは、累積点灯時間がＴａ１となるまでは必要光量１以上の発光量で点灯する。これに対して、使用初期の発光量がＢ（＜Ａ）である第２の光源ランプ３ｂは、累積点灯時間がＴｂ１（＜Ｔａ１）となるまで必要光量１以上の発光量で点灯する。
【００２６】
第１および第２の光源ランプ３ａ，３ｂの累積点灯時間がＴｂ１となるまでは、いずれの光源ランプを点灯させる光源ランプとして選択しても、投射領域１に要求照度以上の照度で画像を投射することができる。この場合、第１および第２の光源ランプ３ａ，３ｂのうち発光量が小さい第２の光源ランプ３ｂ又は累積点灯時間が短い光源ランプを点灯させる光源ランプとして選択するのが好ましい。発光量が小さい光源ランプを選択することで、消費電力を抑えることができるほか、発光量が大きい光源ランプを１つの光源ランプでより広い投射領域に画像を投射するために残しておくことができる。また、累積点灯時間が短い光源ランプを選択することで、２つの光源ランプの累積点灯時間の偏り（発光量や寿命の差の拡大）を回避できる。ただし、プロジェクタの構成や仕様によって、さらに他の選択方法により点灯させる光源ランプを選択してもよい。
【００２７】
第２の光源ランプ３ｂの累積点灯時間がＴｂ１を超え、第１の光源ランプ３ａの累積点灯時間がＴａ１となるまでは、第２の光源ランプ３ｂではなく、第１の光源ランプ３ａを点灯させる光源ランプとして選択する。これにより、第１の光源ランプ３ａのみにより投射領域１に要求照度以上の照度で画像を投射することができる。
【００２８】
第２の光源ランプ３ｂの累積点灯時間がＴｂ１を超え、かつ第１の光源ランプ３ａの累積点灯時間もＴａ１を超えると、一方の光源ランプのみでは必要光量１以上の発光量を得ることができない。このため、第１および第２の光源ランプ３ａ，３ｂの双方を点灯させる光源ランプとして選択する。
【００２９】
ただし、投射レンズ５のズーム倍率を小さくするか投射距離を短くすることで投射領域は投射領域１から投射領域２に狭くなる。この場合、第１および第２の光源ランプ３ａ，３ｂの累積点灯時間がＴｂ２（＞Ｔａ１）となるまでは、いずれの光源ランプを点灯させる光源ランプとして選択しても、投射領域２に要求照度以上の照度で画像を投射することができる。この場合も、前述したように、発光量が小さい第２の光源ランプ３ｂ又は累積点灯時間が短い光源ランプを点灯させる光源ランプとして選択したり、他の選択方法により点灯させる光源ランプを選択したりすればよい。
【００３０】
第２の光源ランプ３ｂの累積点灯時間がＴｂ２を超え、第１の光源ランプ３ａの累積点灯時間がＴａ２（＞Ｔｂ２）となるまでは、第２の光源ランプ３ｂではなく、第１の光源ランプ３ａを点灯させる光源ランプとして選択する。これにより、第１の光源ランプ３ａのみにより投射領域２に要求照度以上の照度で画像を投射することができる。
【００３１】
第２の光源ランプ３ｂの累積点灯時間がＴｂ２を超え、かつ第１の光源ランプ３ａの累積点灯時間もＴａ２を超えると、一方の光源ランプのみでは必要光量２以上の発光量を得ることができない。このため、第１および第２の光源ランプ３ａ，３ｂの双方を点灯させる光源ランプとして選択する。
さらに、投射レンズ５のズーム倍率を小さくするか投射距離を短くすることで投射領域は投射領域２から投射領域３に狭くなる。この場合、第１および第２の光源ランプ３ａ，３ｂの累積点灯時間がＴｂ３（＞Ｔａ２）となるまでは、いずれの光源ランプを点灯させる光源ランプとして選択しても、投射領域３に要求照度以上の照度で画像を投射することができる。この場合も、前述したように、発光量が小さい第２の光源ランプ３ｂ又は累積点灯時間が短い光源ランプを点灯させる光源ランプとして選択したり、他の選択方法により点灯させる光源ランプを選択したりすればよい。
【００３２】
第２の光源ランプ３ｂの累積点灯時間がＴｂ３を超え、第１の光源ランプ３ａの累積点灯時間がＴａ３（＞Ｔｂ３）となるまでは、第２の光源ランプ３ｂではなく、第１の光源ランプ３ａを点灯させる光源ランプとして選択する。これにより、第１の光源ランプ３ａのみにより投射領域３に要求照度以上の照度で画像を投射することができる。
【００３３】
第２の光源ランプ３ｂの累積点灯時間がＴｂ３を超え、かつ第１の光源ランプ３ａの累積点灯時間もＴａ３を超えると、一方の光源ランプのみでは必要光量３以上の発光量を得ることができない。このため、第１および第２の光源ランプ３ａ，３ｂの双方を点灯させる光源ランプとして選択する。
【００３４】
次に、図３のフローチャートを用いて、ＣＰＵ６による光源点灯処理について説明する。この処理は、ＣＰＵ６がコンピュータプログラムに従って実行する。
【００３５】
光源点灯処理を開始したＣＰＵ６は、ステップＳ０１において、エンコーダ８からのズーム位置検出信号５１を取り込み、ズーム位置を検出する。また、ＣＰＵ６は、測距センサ９から投射距離検出信号５２を取り込み、投射距離を検出する。
【００３６】
続いて、ＣＰＵ６は、ステップＳ０２において、ステップＳ０１にて検出したズーム位置と投射距離とからスクリーンＳ上での投射領域の大きさ（例えば、図２における投射領域１〜３）を算出する。そして、該投射領域の大きさと要求照度とから必要光量（例えば、図２に示す必要光量１〜３）を算出する。
【００３７】
次に、ＣＰＵ６は、ステップＳ０３において、不揮発性メモリ７にアクセスし、各光源ランプの履歴情報（ここでは、累積点灯時間の情報とする）を確認する。
【００３８】
そして、ＣＰＵ６は、ステップＳ０４〜Ｓ０８において、ステップＳ０２で算出した必要光量と、ステップＳ０３で確認した各光源ランプの累積点灯時間の情報とから、必要光量を満たす光源ランプを点灯させる光源ランプとして選択する。第１および第２の光源ランプ３ａ，３ｂの発光量がともに必要光量以上である場合は、前述した理由により、発光量が小さい光源ランプを点灯させるランプとして選択する（ステップＳ０５）。ただし、これは例であり、前述したように、累積点灯時間が短い光源ランプを選択したり、他の選択方法によって点灯させる光源ランプを選択したりしてもよい。
【００３９】
また、第１および第２の光源ランプ３ａ，３ｂのうちいずれか一方の発光量のみが必要光量以上である場合には、その必要光量以上の発光量が得られる光源ランプを点灯させる光源ランプとして選択する（ステップＳ０６，ステップＳ０７）。また、１つの光源ランプでは必要光量以上の光量が得られない場合は、両光源ランプ３ａ，３ｂを点灯させる光源ランプとして選択する（ステップＳ０８）。
【００４０】
このようにして点灯させる光源ランプを選択したＣＰＵ６は、ステップＳ０９において、選択した光源ランプに接続されている光源電源回路（２ａ，２ｂ）に対して点灯制御信号５０を出力し、該光源ランプを点灯させる。これにより、ＣＰＵ６は、光源点灯処理を終了する。
【００４１】
以上説明したように、本実施例では、投射領域の大きさ（投射レンズ５のズーム位置および投射距離）、要求照度および各光源ランプの履歴情報から点灯させる少なくとも１つの光源ランプを選択するので、不要な光源ランプの点灯を避けることができる。これにより、要求照度を満たす明るい投射画像が得られるとともに、プロジェクタとしての消費電力を抑えたり、光源ランプを長寿命化したりすることができる。
【００４２】
また、投射領域の大きさが変更されることによって、点灯される光源ランプが自動的に切り換わるため、ユーザが点灯させる光源ランプを選択する手間を省くことができる。
【００４３】
なお、上記実施例では、各光源ランプの累積点灯時間を履歴情報として用い、累積点灯時間から光源ランプの発光量を算出（推定）したが、各光源ランプの累積点灯回数を履歴情報として用いて光源ランプの発光量を算出（推定）してもよい。
【実施例２】
【００４４】
図４には、本発明の実施例２であるプロジェクタ１００’の構成を示している。本実施例のプロジェクタ１００’は、実施例１のプロジェクタ１００に対して、各光源ランプの発光量を測定する光量センサ１０を追加したものである。なお、本実施例において、実施例１と共通する構成要素には、実施例１と同符号を付している。
【００４５】
光量センサ１０は、測定した光量レベルに応じた光量レベル信号６０をＣＰＵ６に出力する。ＣＰＵ６は、光量レベル信号６０により得られた各光源ランプの発光量を、発光量に関する履歴情報として不揮発性メモリ７に記憶させる。発光量に関する履歴情報とは、例えば、その光源ランプの発光量や複数回の点灯における発光量の変化を示す情報である。
【００４６】
そして、ＣＰＵ６は、前回のプロジェクタ使用時までに不揮発性メモリ７に記憶された発光量に関する履歴情報と、実施例１て説明した投射領域の広さおよび要求照度とから、次回のプロジェクタ使用時に点灯させる光源ランプを選択する。
【００４７】
ＣＰＵ６の光源点灯処理としては、図３のフローチャートにおけるステップＳ０３にて発光量に関する履歴情報を確認し、ステップＳ０４〜Ｓ０８にて上述したように点灯させる光源ランプを選択する。
【００４８】
本実施例によれば、各光源ランプの発光量を直接測定することができるために、実施例１のように累積点灯時間（又は累積点灯回数）から各光源ランプの発光量を推定する場合に比べて、処理が簡素化できる。しかも、より正確な発光量に基づいた光源ランプの選択が可能となる。
【実施例３】
【００４９】
プロジェクタには、ズーム倍率の可変範囲等の光学的な仕様や特性が異なる様々な種類の投射レンズを交換使用できるものがある。このようなレンズ交換型のプロジェクタにおいて、投射レンズのズーム位置とスクリーンまでの投射距離から投射領域の大きさを算出する際には、使用される投射レンズの光学的な使用や特性を考慮する必要がある。
【００５０】
図５には、本発明の実施例３であるレンズ交換型プロジェクタ１００″の構成を示している。なお、本実施例において、実施例１と共通する構成要素には、実施例１と同符号を付している。
【００５１】
本実施例では、投射レンズ５とエンコーダ８を含む交換レンズユニット２１が、プロジェクタ１００″に設けられた投射レンズマウント部２０に着脱可能に装着される。光学的な仕様や特性が異なる複数の種類の投射レンズ５を含む交換レンズユニット２１を投射レンズマウント部２０に対して選択的に装着することで、該複数の種類の投射レンズ５を交換使用することができる。
【００５２】
ＣＰＵ６には、投射レンズマウント部２０に装着された交換レンズユニット２１から投射レンズ識別信号７０が入力される。投射レンズ識別信号７０は、例えば、以下のように生成できる。交換レンズユニット２１に電気的接続用のコネクタ（レンズ側コネクタ）を設け、そのレンズ側コネクタの端子を該交換レンズユニット２１に特有の配置とする。そして、該交換レンズユニット２１が投射レンズマウント部２０に装着されると、該レンズ側コネクタと投射レンズマウント部２０に設けられたコネクタとの端子の接続／非接続状態に応じた投射レンズ識別信号７０が生成されるようにすることができる。
【００５３】
ＣＰＵ６は、該投射レンズ識別信号７０に基づいて、使用される投射レンズ（投射光学系）５の種類を識別する。
【００５４】
不揮発性メモリ７は、交換レンズユニット２１の種類ごとの光学的な仕様や特性の情報（以下、光学情報という）を記憶している。このため、ＣＰＵ６は、該光学情報とズーム位置と投射距離とを用いて投射領域の大きさを算出し、さらに要求照度を用いて必要光量を算出する。そして、該必要光量と光源ランプの履歴情報（実施例１で説明した累積点灯時間や累積点灯回数の情報、又は実施例２で説明した発光量に関する履歴情報）とから点灯させる少なくとも１つの光源ランプを選択する。
【００５５】
なお、交換レンズユニットに不揮発性メモリ（図示せず）を持たせることによって、その交換レンズユニットに設けられた投射レンズの光学情報を得るようにしてもよい。これにより、プロジェクタの製造より後に設計された交換レンズユニットを使用する場合でも、ＣＰＵ６はその交換レンズユニットの投射レンズの光学情報に応じた光源ランプの選択を行うことができる。
【００５６】
図６のフローチャートを用いて、ＣＰＵ６による光源点灯処理について説明する。この処理は、ＣＰＵ６がコンピュータプログラムに従って実行する。
【００５７】
光源点灯処理を開始したＣＰＵ６は、ステップＳ１１において、交換レンズユニット２１からの投射レンズ識別信号７０に基づいて、使用される投射レンズ５の種類を識別する。
【００５８】
次に、ＣＰＵ６は、ステップＳ１２において、不揮発性メモリ７にアクセスし、ステップＳ１１にて識別した投射レンズ５に対応する光学情報を確認する。
【００５９】
そして、ＣＰＵ６は、ステップＳ０１において、実施例１と同様に、投射レンズ５のズーム位置と投射距離とを検出し、さらにステップＳ０２において、必要光量を算出する。このとき、ステップＳ１２にて確認した投射レンズ５の光学情報を用いる。
【００６０】
それ以降の処理（ステップＳ０３〜Ｓ０９）については、実施例１（又は実施例２）と同じである。
【００６１】
本実施例によれば、レンズ交換型のプロジェクタにおいても、要求照度を満たす明るい投射画像が得られるとともに、プロジェクタとしての消費電力を抑えたり、光源ランプを長寿命化したりすることができる。
【００６２】
以上説明した各実施例は代表的な例にすぎず、本発明の実施に際しては、各実施例に対して種々の変形や変更が可能である。
【産業上の利用可能性】
【００６３】
複数の光源のうち点灯させる光源を適切に選択し、良好な明るさの画像を投射しつつ、無駄な電力消費を抑えることが可能な液晶プロジェクタ等の画像投射装置を提供できる。
【符号の説明】
【００６４】
３ａ，３ｂ  光源ランプ
５  投射レンズ
６  ＣＰＵ
８  エンコーダ
９  測距センサ
１００  プロジェクタ
【図１】
2011180507.tif 000003
【図２】
2011180507.tif 000004
【図３】
2011180507.tif 000005
【図４】
2011180507.tif 000006
【図５】
2011180507.tif 000007
【図６】
2011180507.tif 000008